(57)【要約】      （修正有）【課題】使い捨ての木枠等使用することで木材資源の浪費をすることなく、しかも製作が容易で安価な上に取り扱いの容易な立て看板を提供する。【解決手段】立て看板の木枠部分を当該木枠に似た既存の物品を用い、当該物品と看板体を組み合わせる。本考案は、合成樹脂または帆布等のシートにて底面を開放した長台形状の看板体を形成し、適宜の脚立に当該看板体を被覆すべく構成してなる脚立を用いた立て看板である。【選択図】図１
0003123928.tif 000002
【実用新案登録請求の範囲】
【請求項１】
合成樹脂または帆布等のシートにて底面を開放した長台形状の看板体を形成し、適宜の脚立に当該看板体を被覆すべく構成してなる脚立を用いた立て看板。
【請求項２】
合成樹脂製の薄板にて底面を開放した長台形状の看板体を形成し、適宜の脚立に当該看板体を被覆すべく構成してなる請求項１の脚立を用いた立て看板。
【請求項３】
看板体の上部に風抜きの開口部を設けてなる請求項１及び請求項２の脚立を用いた立て看板。
【請求項４】
看板体の前面、後面を合成樹脂の薄板またはシートまたは帆布とし、当該前後面を網状または複数本の横方向の短冊状片にて接続してなる脚立を用いた立て看板。
【考案の詳細な説明】
【技術分野】
【０００１】  本考案は、店舗等の表に立設する立て看板の改良に関するものであり、詳しくは脚立を用いた立て看板に関するものである。
【背景技術】
【０００２】  従来の立て看板は木枠に合成樹脂シートまたは紙等を貼付して宣伝文体を書き込み、当該立て看板を電柱等に縛り付けたり、または看板の木枠に後方へ控えの支柱を設けて立設するものが多く見られた。しかし、単なる木枠の立て看板を電柱等に縛り付けるのは一番安価であり、また容易に製作はできるが、この電柱に立て掛けるという行為は違法であり、また木枠の後方に控えの支柱を設けて立設するものにあっては同じく安価であり製作も比較的容易ではあるが、軽量であることから風に弱く、錘を垂下する必要があった。【０００３】  更には、このような立て看板は、ほとんどが一度きりの使用で終わるもので、立て看板を形成している使用後の木枠は焼却処分されており、木材資源の浪費にもつながるものであった。
【考案の開示】
【考案が解決しようとする課題】
【０００４】  解決しようとする問題点は、使い捨ての木枠等使用することで木材資源の浪費をすることなく、しかも製作が容易で安価な上に取り扱いの容易な立て看板を開発することにある。
【課題を解決するための手段】
【０００５】  本考案は、立て看板の木枠部分を当該木枠に似た既存の物品を用い、当該物品と看板体を組み合わせることにより、従来の立て看板に勝る立て看板を開発することが課題を解決するための手段である。
【考案の効果】
【０００６】  本考案は、合成樹脂または帆布等のシートにて底面を開放した長台形状の看板体を形成し、適宜の脚立に当該看板体を被覆すべく構成してなる脚立を用いた立て看板であり、どこにでもある脚立を立て看板の本体とするので、従来のように使い捨ての木枠を使用することなく、看板体のみを交換することで安価にしかも取り扱いも容易であり、省資源の面からも貢献し得るものである。また看板体は無地のものを一般に市販すればよい等、極めて顕著なる実用的効果を有するものである。
【考案を実施するための最良の形態】
【０００７】  合成樹脂または帆布等のシートにて底面を開放した長台形状の看板体を形成し、適宜の脚立に当該看板体を被覆すべく構成してなる脚立を用いた立て看板であり、更には、合成樹脂製の薄板にて底面を開放した長台形状の看板体を形成し、適宜の脚立に当該看板体を被覆すべく構成してなる請求項１の脚立を用いた立て看板であり、更には、看板体の上部に風抜きの開口部を設けてなる請求項１及び請求項２の脚立を用いた立て看板であり、更には、看板体の前面、後面を合成樹脂の薄板またはシートまたは帆布とし、当該前後面を網状または複数本の横方向の短冊状片にて接続してなる脚立を用いた立て看板を呈せんとするものである。
【実施例１】
【０００８】  図１及び図２に示すように、合成樹脂または帆布等のシートにて底面を開放した長台形状の看板体１を形成している。当該看板体１の前面及び後面２には看板文字を書くようにしているが、両側面も含めて全面を看板としてもよい。看板体１は一般に市販されている適宜の脚立３に上部より被服し立て看板とするように構成している。看板体１の大きさは使用する脚立の大きさに対応したものとする。【０００９】  合成樹脂製の薄板にて底面を開放した長台形状の看板体１を形成し、適宜の脚立に当該看板体を被覆すべく構成している。当該看板体１の前面及び後面２には看板文字を書くようにしているが、両側面も含めて全面を看板としてもよい。看板体１は一般に市販されている適宜の脚立３に上部より被服し立て看板とするように構成している。看板体１の大きさは使用する脚立の大きさに対応したものとする。看板体１の下部には風に対する対応として適宜の穴を穿ち、脚立と締結するようにしてもよい。【００１０】  看板体１の前面、後面２を合成樹脂の薄板またはシートまたは帆布とし、当該看板体１の上部に風抜きの開口部４を設けている。【００１１】  看板体１の前面２、後面２を合成樹脂の薄板またはシートまたは帆布とし、当該前後面２、２を網状５または複数本の横方向の短冊状片６にて接続して看板体１を形成している。この際、看板面（前面、後面２）を合成樹脂または帆布等のシートとする場合は、前面、後面共に短部を側方へ折り返して７接続をするようにしている。看板体１は一般に市販されている適宜の脚立３に上部より被服し立て看板とするように構成している。看板体１の下部には風に対する対応として適宜の穴を穿ち、脚立と締結するようにしてもよい。看板体１の大きさは使用する脚立の大きさに対応したものとする。【００１２】  図７に示すように看板体１の前面２及び後面２を合成樹脂の薄板８にて構成している。この際、両側面は網５を用いて前後面２、２を接続している。
【産業上の利用可能性】
【００１２】  本考案は、合成樹脂または帆布等のシートにて底面を開放した長台形状の看板体１を形成し、適宜の脚立３に当該看板体１を被覆すべく構成してなる脚立を用いた立て看板であり、更には、合成樹脂製の薄板にて底面を開放した長台形状の看板体１を形成し、適宜の脚立３に当該看板体１を被覆すべく構成してなる請求項１の脚立を用いた立て看板であり、更には、看板体１の上部に風抜きの開口部４を設けてなる請求項１及び請求項２の脚立を用いた立て看板であり、更には、看板体１の前面２、後面２を合成樹脂の薄板またはシートまたは帆布とし、当該前後面２、２を網状５または複数本の横方向の短冊状片６にて接続してなる脚立を用いた立て看板であるから、従来のように使い捨ての木枠を使用することなく、看板体１のみを交換することで安価にしかも取り扱いも容易であり、省資源の面からも貢献し得るものである。また看板体１は無地のものを一般に市販すればよい等、産業上での利用可能性は極めて大きいものがある。
【図面の簡単な説明】
【００１３】
【図１】  本考案にかかる立て看板の斜視図。
【図２】  看板体の斜視図。
【図３】  風穴を開口した看板体の斜視図。
【図４】  その他の実施例の斜視図。
【図５】  その他の実施例の斜視図。
【図６】  その他の実施例の斜視図。
【図７】  脚立の斜視図。
【符号の説明】
【００１４】  １  看板体
２  看板体の前面及び後面
３  脚立
４  開口部
５  網状接続体
６  短冊状接続片
７  折り返し部
８  薄板
【図１】
0003123928.tif 000003
【図２】
0003123928.tif 000004
【図３】
0003123928.tif 000005
【図４】
0003123928.tif 000006
【図５】
0003123928.tif 000007
【図６】
0003123928.tif 000008
【図７】
0003123928.tif 000009